(57)【要約】【課題】  著作権保護情報が物理的に記録されているディスクを再生する、ドライブ部とデコード部とが分離されているような構成であっても、設計を容易として、上記著作権保護情報を秘匿性を確保したままデコード部に伝送することができるディスク再生装置を提供する。【解決手段】  フロントエンドプロセッサ６は、ＲＦアンプ４で生成された再生アナログＥＦＭ信号５等をセクタ単位の暗号化データのままデコードすると共にＥＦＭクロック７を生成する。Ａ／Ｄ変換器８は、ＲＦアンプ４で生成された再生アナログＥＦＭ信号５をＥＦＭクロック７に同期して、デコーダ部１３の指示する通りの多ビットデジタルデータへ変換する。Ｉ／Ｆコントローラ１１は、フロントエンドプロセッサ６からのデコード出力と、多値デジタル化された再生アナログＥＦＭ信号１０をデコーダ部１８に伝送するためにデジタルインターフェース１２を制御する。【選択図】  図２
2006024293.tif 000002
【特許請求の範囲】
【請求項１】
著作権保護処理が施されたコンテンツと、そのコンテンツを復号化するために用いられる著作権保護情報が記録されてなる光ディスクを再生するディスク再生装置において、
上記光ディスクから上記著作権保護情報を含むアナログ信号を読み出す読み出し手段と、上記読み出し手段にて読み出されたアナログ信号から上記光ディスクに記録された著作権保護処理が施されたコンテンツデータを取り出すと共にクロック信号を生成する信号処理手段と、上記読み出し手段にて読み出された上記アナログ信号を上記信号処理手段にて生成されたクロック信号を用いてデジタル信号に変換するデジタル信号変換手段とを有するドライブ部と、
上記ドライブ部のコンテンツデータと、上記デジタル信号変換手段によって変換されたデジタル信号とを伝送する伝送手段と、
上記伝送手段によって伝送された上記デジタル信号から上記クロック信号と同一のクロック信号を抽出するクロック抽出手段と、上記クロック抽出手段によって抽出されたクロック信号と上記デジタル信号から上記著作権保護情報を検出する著作権保護情報検出手段と、上記著作権保護情報検出手段によって検出された著作権保護情報を用いて上記著作権保護処理が施されたコンテンツデータを解読する解読手段とを有するデコーダ部と
を備えていることを特徴とするディスク再生装置。
【請求項２】
上記著作権保護処理は上記コンテンツに施される暗号化処理であり、上記著作権保護情報は上記暗号化処理に用いられた暗号化鍵であることを特徴とする請求項１記載のディスク再生装置。
【請求項３】
上記著作権保護情報は、上記光ディスクの所定の領域に物理的に記録されてなることを特徴とする請求項１記載のディスク再生装置。
【発明の詳細な説明】
【技術分野】
【０００１】
本発明は、著作権保護処理が施されたコンテンツと、そのコンテンツを復号化するために用いられる著作権保護情報が記録されてなる光ディスクを再生するディスク再生装置に関する。
【背景技術】
【０００２】
現在、光ディスク等のデジタル記録媒体の大容量化と普及により、記録されている信号の著作権を保護するために、不法なコピーの防止が重要とされている。これは、デジタルオーディオデータやデジタルビデオデータの場合には、コピー或いはダビングにより劣化の無い複製物を容易に生成でき、またコンピュータデータの場合には、元のデータと同一のデータが容易にコピーできるため、既に不法コピーによる著作権の侵害等の弊害が生じてきているためである。
【０００３】
このようなことから、デジタル記録媒体に記録されている信号を再生したデジタル信号を再びデジタル記録媒体に記録するいわゆるデジタルダビングにおける上記不法コピーの防止を目的として、オリジナルのデジタル記録媒体に暗号化されたデータを記録する対策が採られるようになった。
【０００４】
本件出願人による、特許文献１には、エッジの位置情報に影響を与えないタイミングで、ピット又はマークの幅を変化させることにより、ピット列、マーク列による主のデータ列の再生には何ら影響を与えないで、この主のデータ列を再生するピックアップにより再生可能に、副のデータ列を記録する技術が記載されている。また、ピット及びランドにより暗号化したデジタルオーディオ信号を記録し、この暗号化の解除に必要なキー情報をピット幅に記録してもよいと記載されている。
【０００５】
ところで、サンプリング周波数ｆｓを約４４．１ｋＨｚとし、ＰＣＭ方式により１サンプルを各チャンネル１６ビットのデジタルオーティオとして記録しているコンパクトディスク（ＣＤ）に対して、ＤＳＤ（Direct Stream Digital）方式により生成された、サンプリング周波数が非常に高い周波数（例えば通常のＣＤのサンプリング周波数ｆｓの６４倍の周波数）で１ビット方式のオーディオストリームデータを記録しているスーパーオーディオコンパクトディスク（Super Audio ＣＤ）が知られるようになった。
【０００６】
入力信号に対して６４ｆｓのオーバーサンプリング・ΔΣ変調を施すと１ビットオーディオデジタル信号が得られる。ＣＤ方式のシステムでは、その直後に１ビットの信号からマルチビットのＰＣＭ符号へのデシメーションが行われるが、ＤＳＤ方式を採用したスーパーオーディオＣＤでは１ビットオーディオ信号を直接記録している。スーパーオーディオＣＤに記録される１ビットオーディオ信号の周波数帯域はおよそ１００ｋＨｚであり、ＣＤで採用されているＰＣＭ方式における信号の周波数帯域と比べて非常に広い。
【０００７】
スーパーオーディオＣＤにおいても、複製等によって音質が劣化せず、海賊版販売などの不法な商売の対象になるのを防止すべく、著作権保護のための情報を付加している。このスーパーオーディオＣＤの再生においても、暗号化されたデータを記録しており、それを再生時に復号するための暗号化鍵を著作権保護のための情報として記録している。この著作権保護のための情報は、再生ＥＦＭ信号のアナログ領域に埋め込まれている。著作権保護のための情報としては、上記暗号化鍵の他に、著作権の追跡のためのデータ、或いは複製防止のためのプロテクト信号等がある。著作権保護情報は、スーパーオーディオＣＤの著作権を保護するために、個々のディスク上のある特定のエリアに再生アナログＥＦＭ信号という形で物理的に記録されている。
【０００８】
図５には、スーパーオーディオＣＤプレーヤシステムの概略図を示す。再生時にスーパーオーディオＣＤ５１上のデータはピックアップ５２を通じて再生アナログＥＦＭ信号に変換される。その信号をＲＦアンプ５３で所望の電圧まで増幅した再生アナログＥＦＭ信号５４がフロントエンドプロセッサ５５でＥＦＭデコードされ、そのＥＦＭデコードされた信号５７がデコーダ５８に入力され音楽信号に復号される。
【０００９】
著作権保護のためのアナログ領域に埋め込まれた再生アナログＥＦＭ信号５４は、デジタル２値化信号に変換する際に失われてしまう。このため、スーパーオーディオＣＤを再生する際は、そのディスクが持つ著作権保護情報を反映させるために、再生アナログＥＦＭ信号５４をアナログのままデコーダ５８へそのＥＦＭクロック５６とともに入力する必要があった。デコーダ５８は、入力された再生アナログＥＦＭ信号５４を、フロントエンドプロセッサ５５によって抽出されたＥＦＭクロック５６を基に解読する。
【００１０】
ＥＦＭ復調後のデータ（ＥＦＭデコード信号）５７は通常、例えばＡＴＡ/ＡＴＡＰＩなどの何らかの標準規格を満たしたデジタルデータ伝送インターフェースでデコーダ５８に伝送される。
【００１１】
図６は、スーパーオーディオＣＤプレーヤシステムにおけるデコーダ５８での著作権保護情報解読と、音楽信号の生成という２つの機能の概略を示す。著作権保護情報は再生ＥＦＭ信号のアナログ領域に埋め込んであり、このデジタル２値化される前の再生アナログＥＦＭ信号５４とそのタイミングを表すＥＦＭクロック５６をデコーダ５８内の著作権保護情報の解読機能部５８ａに入力することにより、著作権保護情報はデコーダ５８内部で解読され保持される。この著作権保護情報の解読機能部５８ａでは、上記再生アナログＥＦＭ信号５４を図示しないＡ／Ｄ変換器により、上記ＥＦＭクロック５６を用いてデジタルデータに変換してから、デジタル処理により情報をＥＦＭクロック５６に同期しながら解読する。
【００１２】
次に、音楽信号の生成部５８ｂにおいて、フロントエンドプロセッサ５５でＥＦＭ復調されたディスク上のセクタデータ５７を入力することにより、上記著作権保護情報の解読部５８ａで解読された著作権保護情報を用いて音楽信号へと復号される。具体的には、暗号化鍵が著作権保護情報の解読部５８ａにより解読され、音楽信号の生成部５８ｂにおいて、その暗号化鍵を用いて暗号化されているセクタデータ５７が復号されて、音楽信号となる。
【００１３】
以上説明したように、著作権保護情報を解読し、上記音楽信号をその著作権保護情報を用いて復号する機能は、スーパーオーディオＣＤデコーダ５８内部で実現されており、著作権保護情報の安全性が十分保たれていた。
【００１４】
【特許文献１】特開平１１−１８５２５８号公報
【発明の開示】
【発明が解決しようとする課題】
【００１５】
ところで、上記図５に示したスーパーオーディオＣＤプレーヤシステムが一つの閉じた構成とされていたのに対し、最近では、ピックアップ、ＲＦアンプ、フロントエンドプロセッサをドライブメカと共にドライブ部として構成し、デコーダ部とは分けて実現し、ドライブ部とデコーダ部との間ではデジタルインターフェースを通してのみ、データが送受信されるようになった。例えばパーソナルコンピュータにあっては、図７に示すように、システムを分離し、ドライブ部６１とデコーダ部６２を切り離した状態に配置し、その間をデジタルインターフェースに従った通信線６３で結んでいる。
【００１６】
アナログ信号はその性格上、伝送時に非常にノイズの影響を強く受けてしまい、その品質低下に繋がる。また再生時のリアルタイムな信号であるため、非常に高周波である。以上から、スーパーオーディオＣＤ再生用プレーヤの設計時に、上記通信線６３にて再生アナログＥＦＭ信号を伝送させるのに多大な注意が必要となる。
【００１７】
また、この再生アナログＥＦＭ信号を伝送のためにバッファリングする際も上述のような要因により、バッファリング素子には高価で高性能なものが要求される。このようにアナログ信号の接続が最も注意を必要とされて、プレーヤ設計上の問題となっている。
【００１８】
本願発明は、上記実情に鑑みてなされたものであり、著作権保護情報が物理的に記録されているディスクを再生する、ドライブ部とデコード部とが分離されているような構成であっても、設計を容易として、上記著作権保護情報を秘匿性を確保したままデコード部に伝送することのできるディスク再生装置の提供を目的とする。
【課題を解決するための手段】
【００１９】
本発明に係るディスク再生装置は、上記課題を解決するために、著作権保護処理が施されたコンテンツと、そのコンテンツを復号化するために用いられる著作権保護情報が記録されてなる光ディスクを再生するディスク再生装置において、上記光ディスクから上記著作権保護情報を含むアナログ信号を読み出す読み出し手段と、上記読み出し手段にて読み出されたアナログ信号から上記光ディスクに記録された著作権保護処理が施されたコンテンツデータを取り出すと共にクロック信号を生成する信号処理手段と、上記読み出し手段にて読み出された上記アナログ信号を上記信号処理手段にて生成されたクロック信号を用いてデジタル信号に変換するデジタル信号変換手段とを有するドライブ部と、上記ドライブ部のコンテンツデータと、上記デジタル信号変換手段によって変換されたデジタル信号とを伝送する伝送手段と、上記伝送手段によって伝送された上記デジタル信号から上記クロック信号と同一のクロック信号を抽出するクロック抽出手段と、上記クロック抽出手段によって抽出されたクロック信号と上記デジタル信号から上記著作権保護情報を検出する著作権保護情報検出手段と、上記著作権保護情報検出手段によって検出された著作権保護情報を用いて上記著作権保護処理が施されたコンテンツデータを解読する解読手段とを有するデコーダ部とを備えている。
【００２０】
上記デジタル信号変換手段は、上記ドライブ部内にあって上記信号処理手段によって生成されたクロック信号を用いて上記光ディスクから読み出された上記著作権保護情報を含むアナログ信号をデジタル信号に変換する。上記伝送手段は、上記著作権保護情報をデジタル信号のままで上記デコーダ部に伝送する。
【発明の効果】
【００２１】
本発明に係るディスク再生装置によれば、著作権保護情報が物理的に記録されているディスクを再生する、ドライブ部とデコード部とが分離されているような再生装置にあっても、設計を容易として、上記著作権保護情報を秘匿性を確保したままデコード部に伝送できる。
【発明を実施するための最良の形態】
【００２２】
以下、本発明の実施の形態について図面を参照しながら説明する。この実施の形態は、図１に示すように、ドライブ部１と、スーパーオーディオＣＤデコーダ部１８とからなる、スーパーオーディオＣＤプレーヤシステムである。
【００２３】
ドライブ部１は、後述するピックアップと、ＲＦアンプと、フロントエンドプロセッサと、ドライブメカからなる。このドライブ部１は、デジタル伝送インターフェースに基づいた通信線３０により、デコーダ部１８と接続されている。ドライブ部１からデコーダ部１８へのデータの伝送は、デジタルデータインターフェースを通してのみ行われる。
【００２４】
ドライブ部１では、再生アナログＥＦＭ信号をフロントエンドプロセッサから得られるＥＦＭクロックでなるべく信号源に近い位置でノイズなどの影響を最小限にした状態においてデコーダ側が指定している多ビットデジタル信号へと変換する。この多ビットデジタル信号は図１のようなシステムにおいて、ドライブ部１にＡ／Ｄ変換器８を追加することにより、生成が可能である。
【００２５】
このドライブ部１のＡ／Ｄ変換器８によるデコーダ部１８の指示する通りの多ビットデジタルデータへの変換によって、再生アナログＥＦＭ信号のアナログ領域に埋め込まれた著作権保護の情報が損なわれることはないし、その解読は伝送後のスーパーオーディオＣＤデコーダ内部で実施されるため安全性、つまり情報の秘匿性も保持される。
【００２６】
このドライブ部１で生成された多ビットデジタル化された再生アナログＥＦＭ信号はデータインターフェースに基づいた通信線３０を使ってデコーダ部１８へその信号の品質を落とすことなく効率的に伝送することが可能になる。
【００２７】
通常、スーパーオーディオＣＤデコーダは、この再生アナログＥＦＭ信号の品質を確保するために規定に基づいた多ビットデジタル化された再生アナログＥＦＭ信号の入力端子も備えている。このため、デコーダ部１８にて直接、本発明によって生成される信号を供給することが可能になる。
【００２８】
また、この多ビットデジタルＥＦＭデータの伝送クロックから、そのデータに相当したＥＦＭクロックを抽出することも容易に可能になる。さらに、デジタルインターフェースの規格に多ビットデジタル化された再生アナログＥＦＭデータの伝送を合わせることにより、一般のディスクシステムが新たにスーパーオーディオＣＤ再生をサポートする際も新たに専用のインターフェースを設けることなく、スーパーオーディオＣＤデコーダへのデジタル信号接続などの設計のみに注力すればよいことになる。
【００２９】
以下、スーパーオーディオＣＤプレーヤシステムについて図２を参照して詳細に説明する。このスーパーオーディオＣＤプレーヤシステムは、汎用ＤＶＤ再生対応ドライブを使用した構成例である。ここで、汎用ＤＶＤ再生対応ドライブ部１は、スーパーオーディオＣＤディスク２にレーザ光を照射してディスク２の反射光からコンテンツデータに基づいた情報信号を読み出す光ピックアップ３と、光ピックアップ３が読み出した情報信号を所望の電圧まで増幅し再生アナログＥＦＭ信号５を生成するＲＦアンプ４と、ＲＦアンプ４で生成された再生アナログＥＦＭ信号５等をセクタ単位の暗号化データのままデコードすると共にＥＦＭクロック７を生成する信号処理手段としてのフロントエンドプロセッサ６と、ＲＦアンプ４で生成された再生アナログＥＦＭ信号５をＥＦＭクロック７に同期して、デコーダ部１３の指示する通りの多ビットデジタルデータへ変換するＡ／Ｄ変換器８と、フロントエンドプロセッサ６からのデコード出力と、多値デジタル化された再生アナログＥＦＭ信号１０をデコーダ部１８に伝送するためにデジタルインターフェース１２を制御するＩ／Ｆコントローラ１１と、デジタルインターフェース（例えば、ＡＴＡＰＩインターフェース）１２とを備えている。
【００３０】
デコーダ部１８は、汎用ＤＶＤ再生対応ドライブ部１のデジタルＩ／Ｆ１２と通信線３０によって接続されるプレーヤ部分デジタル基板の一部１３内に設けられる。つまり、プレーヤ部分デジタル基板の一部１３は、デジタルＩ／Ｆ１４と、Ｉ／Ｆコントローラ１５と、Ｉ／Ｆコントローラ１５によって受信されたセクタデータ（暗号化されたままのコンテンツデータ）１６と多値デジタル化された再生アナログＥＦＭ信号１７をデコードするデコーダ部１８とを備えている。
【００３１】
デコーダ部１８は、Ｉ／Ｆコントローラ１５によって受信された多値デジタル化された再生アナログＥＦＭ信号１７の変化点からサンプリングクロックを抽出するクロック抽出部１９と、クロック抽出部１９にて抽出されたサンプリングクロック７’と、上記多値デジタル化された再生アナログＥＦＭ信号１７から、暗号化されたセクタ単位データを復号化する際に必要な鍵データ２１を検出して復号化部２２に供給する鍵データ検出部２０と、鍵データ検出部２０から供給された鍵データ２１を使って暗号化されたセクタ単位のデータ１６を復号化して復号化されたデータ２３を出力するコンテンツデータの解読を行う復号化部２２とを備えている。
【００３２】
このスーパーオーディオＣＤプレーヤシステムの動作を以下に説明する。鍵データ２１は、スーパーオーディオＣＤの暗号化されたデータを復号化するための著作権保護情報信号として、ディスク２上のある特定のエリア上の再生アナログＥＦＭ信号５に記録されている。具体的には、音楽データに付加される微小信号としてアナログ的な電子透かしのように埋め込まれている。
【００３３】
ドライブ部１では、ピックアップ３にて読み取った読み取り信号からＲＦアンプ４が生成した再生アナログＥＦＭ信号５をフロントエンドプロセッサ６にて抽出されるＥＦＭクロック信号７のタイミングでＡ／Ｄ変換器８により多値にデジタル化された信号に変換する。
【００３４】
フロントエンドプロセッサ６にてデコードされた上記セクタ単位の暗号化データと、Ａ／Ｄ変換器８からの多値デジタル化された再生アナログＥＦＭ信号１０は、プレーヤ部分デジタル基板の一部１３に、上記デジタルＩ／Ｆ１２及び１４を接続する通信線３０を介して伝送される。そして、Ｉ／Ｆコントローラ１５によって取り出されたセクタデータ（暗号化されたまま）１６と多値デジタル化された再生アナログＥＦＭ信号１７は、デコーダ部１８に入力される。
【００３５】
デコーダ部１８は、クロック抽出部１９にて多値デジタル化された再生アナログＥＦＭ信号１７から、ＥＦＭクロック信号７’自身を抽出する。また、デコーダ部１８は、鍵データ検出部２０にて上記クロック信号７’を用い、上記多値デジタル化された再生アナログＥＦＭ信号１７から鍵データ２１を検出する。この鍵データ２１は、復号化部２２に供給される。
【００３６】
復号化部２２は、鍵データ２１を用いて上記セクタデータ（暗号化されたまま）１６を復号化して復号化されたデータ２３を出力する。
【００３７】
ここで、鍵データ検出部２０と復号化部２２は、やり取りされる鍵データ２１の秘匿性を確保するために１つのブラックボックスとして提供される。
【００３８】
次に、上記スーパーオーディオＣＤプレーヤにおけるシステム制御の処理手順について図３のフローチャートを用いて説明する。ここで、本システムでは、ドライブ部１は汎用ＤＶＤドライブであるとして、スーパーオーディオＣＤ再生に関わる一切の制御についてはスーパーオーディオＣＤデコーダ部１８が搭載されている側(プレーヤ部分デジタル基板の一部１３)の指示に従って動作するものとする。プレーヤ部分デジタル基板の一部１３は、システムコントローラである。
【００３９】
先ず、システム制御が開始されると（ステップＳ１）、上記デジタル基板の一部１３であるシステムコントローラは、ドライブ部１からの様々な情報を基に上記光ディスク２はスーパーオーディオＣＤであるか否かをチェックする（ステップＳ２）。ステップＳ２にてＳＡＣＤではないと判断するとステップＳ３に進み、システム制御処理を終了する。ステップＳ２にてＳＡＣＤであると判断する（ＹＥＳ）と、ステップＳ４に進む。
【００４０】
ステップＳ４にてシステムコントローラは、ドライブ部１を制御し、スーパーオーディオＣＤフォーマットで規定されている鍵データが再生アナログＥＦＭ信号５に付加されているディスク２の領域へピックアップ３をアクセスさせる。そして、システムコントローラは、ピックアップ３により上記領域を再生させ、再生アナログＥＦＭ信号５をＤＶＤフロントエンドプロセッサ６で抽出したＥＦＭクロック信号７のタイミングでＡ／Ｄ変換器８により多値デジタルデータ１０へ変換し、デジタルＩ／Ｆ１２によりそのコントローラ１１の制御のもと出力する。
【００４１】
上記多値デジタルデータ１０は、システムコントローラが設けられるプレーヤ部分デジタル基板の一部１３によって、Ｉ／Ｆコントローラ１５の制御の基にデジタルＩ／Ｆ１４にて受信される。Ｉ／Ｆコントローラ１５によって取り出された多値デジタル化された再生アナログＥＦＭ信号１７は、クロック抽出回路１９に供給される。
【００４２】
クロック抽出回路１９は、図４に示すようなタイミングで上記多値デジタル化された再生アナログＥＦＭ信号１７（図４の（ａ）の入力信号）から、サンプリングクロック（図４の（ｂ））を抽出し、データ（上記多値デジタル化された再生アナログＥＦＭ信号１７）と共にスーパーオーディオＣＤデコーダ１８の鍵データ検出部２０へ入力する（以上、ステップＳ５）。
【００４３】
プレーヤ部分デジタル基板の一部１３側のシステムコントローラは、スーパーオーディオＣＤデコーダ１８がステップＳ６の分岐にて鍵データ２１の検出が成功した（ＹＥＳ）としらせてくるまで、ステップＳ４乃至ステップＳ６までの処理を繰り返す。
【００４４】
鍵データ検出部２０にて鍵データ２１の検出が終ったら、多値デジタル化された再生アナログＥＦＭ信号１７はスーパーオーディオＣＤデコーダ１８にはもはや必要なくなる。システムコントローラは、ドライブ部１へその旨を通知し、デジタルインターフェース１２のコントローラ１１はこれより後はＤＶＤフロントエンドプロセッサ６からＤＶＤデコードされた暗号化されたセクタデータ９を出力し、後段１３はデジタルＩ／Ｆ１４からコントローラ１５の制御の基に受け取ったセクタデータ１６をスーパーオーディオＣＤデコーダ１８の復号化部２２へ入力する(ステップＳ７)。
【００４５】
スーパーオーディオＣＤデコーダ１８の復号化部２２では、暗号化されたＤＶＤデコード済セクタデータ１６を、鍵データ検出部２０にて検出した鍵データ２１を基に復号化し、平文のスーパーオーディオＣＤセクタデータ２３を得る(ステップＳ８)。そして、ステップＳ９にて上記一連のシステム制御処理は終了する。
【００４６】
上述したように、スーパーオーディオＣＤのデータ復号化のための鍵データは再生アナログＥＦＭ信号に微小な信号を付加することにより格納している。このため、ノイズの影響を非常に受けやすく、従来は、配線長やパターンの引き回しなど設計上、多大な注意を必要としていた。
【００４７】
そこで、本発明を適用した上記スーパーオーディオＣＤプレーヤにて上記構成を採用することにより、必要なアナログ信号処理は、その発生源であるＲＦアンプのすぐそばで実行され、ノイズの影響は最小限に押さえられることになる。また、この多値デジタル化された信号そのものには鍵データを導くための情報はごく僅かしか含まれず、その秘匿性も十分確保されたままである。さらに、上述したようなシステムを構築すれば、既存の汎用ＤＶＤドライブに最小限の変更を加えることによって、後段との配線を増加させることなく、またノイズの影響を受けやすい動作クロックの転送を必要としないでスーパーオーディオＣＤ再生機能を実現することが可能になる。
また、本実施の形態のスーパーオーディオＣＤプレーヤによれば、再生アナログＥＦＭ信号のアナログ領域に埋め込まれた著作権保護の情報が損なわれることはないし、その解読は伝送後のスーパーオーディオＣＤデコーダ内部で実施されるため安全性も保持される。
【００４８】
なお、上記実施の形態では、著作権保護情報の具体例として、暗号化コンテンツデータを復号化するための暗号化鍵を挙げたが、上記暗号化鍵の他に、著作権の追跡のためのデータ、或いは複製防止のためのプロテクト信号等を用いてもよい。この場合、図２のデコーダ部１８の鍵データ検出部２０は、各著作権保護情報検出部となる。
【図面の簡単な説明】
【００４９】
【図１】本発明の実施の形態である、スーパーオーディオＣＤプレーヤのブロック図である。
【図２】汎用ＤＶＤ再生対応ドライブを使用したスーパーオーディオＣＤプレーヤシステムのブロック図である。
【図３】スーパーオーディオＣＤプレーヤにおけるシステム制御の処理手順を示すフローチャートである。
【図４】クロック抽出回路におけるクロック抽出のタイミングを示すタイミングチャートである。
【図５】従来のスーパーオーディオＣＤプレーヤシステムのブロック図である。
【図６】従来のスーパーオーディオＣＤデコーダの機能ブロック図である。
【図７】従来の一般的ディスクシステムプレーヤのブロック概略図である。
【符号の説明】
【００５０】
１  ドライブ部、２  スーパーオーディオＣＤ、３  ピックアップ、４  ＲＦアンプ、６  フロントエンドプロセッサ、８  Ａ／Ｄ変換器、１８  デコーダ部、１９  クロック抽出部、２０  鍵データ検出部、２２  復号化部
【図１】
2006024293.tif 000003
【図２】
2006024293.tif 000004
【図３】
2006024293.tif 000005
【図４】
2006024293.tif 000006
【図５】
2006024293.tif 000007
【図６】
2006024293.tif 000008
【図７】
2006024293.tif 000009